(57)【要約】【課題】大洗浄及び小洗浄に加え、さらに洗浄水量の少ない小洗浄の少なくとも３段階を含む多段階の洗浄水量を簡単な構造で得ることが出来る洗浄水タンク装置を提供する。【解決手段】便器（１）を洗浄する洗浄水を貯水する洗浄水タンク装置（１８）であって、洗浄水が貯水され、底面に排水口が形成された貯水タンク（２２）と、排水口（２２ａ）を開閉して水洗便器への洗浄水の供給を行う排水弁（７２）と、排水口を取り囲むように貯水タンクの底面から上方に延びる側面（７６ｂ）を有し、上方が開放されると共に側面に開口部（７６ｃ）が形成された筒体（７６）と、貯水タンクの排水口から水洗便器へと供給される洗浄水の水量が大、中、小の少なくとも３段階を含む多段階に得られるよう、筒体の開口部の開口断面積を調節可能に筒体の開口部を開閉する切替弁（９０、９２）と、を有する。【選択図】図２
2011241552.tif 000002
【特許請求の範囲】
【請求項１】
便器を洗浄する洗浄水を貯水する洗浄水タンク装置であって、
洗浄水が貯水され、底面に排水口が形成された貯水タンクと、
上記排水口を開閉して水洗便器への洗浄水の供給を行う排水弁と、
上記排水口を取り囲むように上記貯水タンクの底面から上方に延びる側面を有し、上方が開放されると共に上記側面に開口部が形成された筒体と、
上記貯水タンクの排水口から水洗便器へと供給される洗浄水の水量が大、中、小の少なくとも３段階を含む多段階に得られるよう、上記筒体の開口部の開口断面積を調節可能に上記筒体の開口部を開閉する切替弁と、を有することを特徴とする洗浄水タンク装置。
【請求項２】
上記筒体の開口部は１つのみ形成され、
上記切替弁は、
上記筒体の開口部の開口断面積を減少可能に構成された第１切替弁と、
この第１切替弁の外方側に設けられ、上記第１切替弁と共に上記筒体の開口部の開口断面積をさらに減少可能に構成された第２切替弁と、を有する請求項１に記載の洗浄水タンク装置。
【請求項３】
上記第１切替弁には、その開口断面積が上記筒体の開口部の開口断面積より小さく、上記筒体の開口部を閉じたとき上記筒体の外方と内方とを連通させる連通口が形成され、
上記第２切替弁は、上記第１切替弁に近接されたとき、上記第１切替弁に形成された上記連通口の開口断面積を減少させるように形成され、
上記第１切替弁及び上記第２切替弁は、
それらの両方を上記筒体の開口部から離間させることにより、上記筒体の開口部を全開にして、上記筒体の内方に流入する水量を大とする大洗浄と、
上記第１切替弁により上記筒体の開口部を閉じるようにし且つ上記第２切替弁をその第１切替弁から離間させることにより、上記筒体の開口部の開口断面積を、少なくとも上記第１切替弁の連通口の開口断面積と同程度の開口断面積まで減少させて、上記筒体の外方から内方へと流入する水量を中とする中洗浄と、
上記第１切替弁により上記筒体の開口部を閉じるようにし且つ上記第２切替弁をその第１切替弁に近接させることにより、上記筒体の開口部の開口断面積を、上記第１切替弁の連通口の開口断面積より小さくして、上記筒体の外方から内方へと流入する水量を小とする小洗浄と、の少なくとも３段階に洗浄水量を調節する請求項２に記載の洗浄水タンク装置。
【請求項４】
上記第１切替弁は、排水時、上記筒体の開口部を閉じるようにされたとき、上記筒体の外方と内方との洗浄水の流速差により生じる差圧により、上記筒体の開口部を閉じる状態に保持される請求項３に記載の洗浄水タンク装置。
【請求項５】
さらに、排水開始時から排水終了時まで、上記第２切替弁を上記第１切替弁に近接する位置に保持する電気駆動手段を有する請求項３又は４記載の洗浄水タンク装置。
【請求項６】
上記第２切替弁は、上記第１切替弁側に延び、上記第１切替弁に近接された状態で上記第１切替弁の上記連通口に挿入可能な突出部を有する請求項５に記載の洗浄水タンク装置。
【請求項７】
上記排水弁は、上記排水口を開閉する弁体と、洗浄水を貯水すると共にその貯水された洗浄水を所定の小さな流量で排出するよう形成された小穴を備える貯水部を備える制御筒と、この貯水部内の水位の低下に伴って下降するようその貯水部内に設けられたフロートと、を有し、上記排水弁は、上記弁体が、上記フロートの下降と連動して下降して上記排水口を閉止するよう構成されている請求項１乃至６のいずれか１項に記載の洗浄水タンク装置。
【発明の詳細な説明】
【技術分野】
【０００１】
本発明は、洗浄水タンク装置に係り、特に、便器を洗浄する洗浄水を貯水する洗浄水タンク装置に関する。
【背景技術】
【０００２】
従来、便器を洗浄する洗浄水を貯水する洗浄水タンク装置として、特許文献１には、便器を洗浄する洗浄水を貯水する洗浄水タンク装置として、貯水タンクの底部に形成された排水口を囲むように設けられた筒体の側面に開口を形成すると共にその開口を開閉可能な弁体を設け、大洗浄のとき、筒体の開口を開放したままにすることにより洗浄水量を多くし、一方、小洗浄のとき、筒体の開口を弁体で閉じることにより洗浄水量を少なくして、大洗浄と小洗浄との２段階の洗浄を切り替えるようにした排水装置を備えるものが知られている。
【先行技術文献】
【特許文献】
【０００３】
【特許文献１】特開昭６１−７２１４４号公報
【発明の概要】
【発明が解決しようとする課題】
【０００４】
ところで、水洗大便器において、男性の小便後には、トイレットペーパーなどを流す場合がほとんどなく、このようなトイレットペーパーなどを流さない場合には、従来の小洗浄より少ない洗浄水量で小便を排出できる。そして、近年のさらなる節水ニーズにより、従来の大洗浄及び小洗浄に加えて、小便のみを排出可能な、従来の小洗浄よりさらに洗浄水量の少ない小洗浄（本願では、「エコ小洗浄」ともいう）が要望されている。
【０００５】
しかしながら、上述した従来の洗浄水タンク装置では、筒体に形成された開口を全開するか或いは弁体で閉じるかのいずれか一方で大洗浄と小洗浄とを行っているため、２段階の洗浄量しか得ることが出来ないという問題があり、上述したような近年の節水ニーズには応えられないものとなっている。
【０００６】
そこで、本発明は、上述した従来技術の問題点を解決して近年の節水ニーズの要請を満たすためになされたものであり、大洗浄及び小洗浄に加え、さらに洗浄水量の少ない小洗浄の少なくとも３段階を含む多段階の洗浄水量を簡単な構造で達成することが出来る洗浄水タンク装置を提供することを目的としている。
【課題を解決するための手段】
【０００７】
上記の目的を達成するために、本発明は、便器を洗浄する洗浄水を貯水する洗浄水タンク装置であって、洗浄水が貯水され、底面に排水口が形成された貯水タンクと、排水口を開閉して水洗便器への洗浄水の供給を行う排水弁と、排水口を取り囲むように貯水タンクの底面から上方に延びる側面を有し、上方が開放されると共に側面に開口部が形成された筒体と、貯水タンクの排水口から水洗便器へと供給される洗浄水の水量が大、中、小の少なくとも３段階を含む多段階に得られるよう、筒体の開口部の開口断面積を調節可能に筒体の開口部を開閉する切替弁と、を有することを特徴としている。
このように構成された本発明においては、貯水タンクの排水口から水洗便器へと供給される洗浄水の水量が大、中、小の少なくとも３段階を含む多段階に得られるよう、筒体の開口部の開口断面積を調節可能に筒体の開口部を開閉する切替弁を有するので、効果的に、大（大洗浄）、中（小洗浄）、小（さらに洗浄水量の少ない小洗浄）の少なくとも３段階を含む多段階の洗浄水量を得ることが出来る。また、開口部を開閉する切替弁により開口部の開口断面積を調節可能にして多段階洗浄を得ることが出来るので、タンク構造を簡単なものとすることが出来る。その結果、近年の節水ニーズの要請も満たすことが出来る。
【０００８】
本発明において、好ましくは、筒体の開口部は１つのみ形成され、切替弁は、筒体の開口部の開口断面積を減少可能に構成された第１切替弁と、この第１切替弁の外方側に設けられ、第１切替弁と共に筒体の開口部の開口断面積をさらに減少可能に構成された第２切替弁と、を有する。
このように構成された本発明においては、筒体の開口部は１つのみ形成され、切替弁は、筒体の開口部の開口断面積を減少可能に構成された第１切替弁と、この第１切替弁の外方側に設けられ、第１切替弁と共に筒体の開口部の開口断面積をさらに減少可能に構成された第２切替弁と、を有するので、例えば、筒体の開口部を全開にして筒体の外方から内方に流入する洗浄水の流量を大（例えば、従来の大洗浄）とし、第１切替弁により筒体の開口部の開口断面積を減少させて筒体の外方から内方に流入する洗浄水の流量を中（例えば、従来の小洗浄）とし、第１切替弁と第２切替弁とにより筒体の開口部の開口断面積をさらに減少させて筒体の外方から内方に流入する洗浄水の流量をさらに減少させる小（例えば、「エコ小洗浄」）とする少なくとも３段階の多段階洗浄を、１つの開口部を２つの切替弁で開閉する簡単な構造で達成することが出来る。
【０００９】
本発明において、好ましくは、第１切替弁には、その開口断面積が筒体の開口部の開口断面積より小さく、筒体の開口部を閉じたとき筒体の外方と内方とを連通させる連通口が形成され、第２切替弁は、第１切替弁に近接されたとき、第１切替弁に形成された連通口の開口断面積を減少させるように形成され、第１切替弁及び上記第２切替弁は、それらの両方を筒体の開口部から離間させることにより、筒体の開口部を全開にして、筒体の内方に流入する水量を大とする大洗浄と、第１切替弁により筒体の開口部を閉じるようにし且つ第２切替弁をその第１切替弁から離間させることにより、筒体の開口部の開口断面積を、少なくとも第１切替弁の連通口の開口断面積と同程度の開口断面積まで減少させて、筒体の外方から内方へと流入する水量を中とする中洗浄と、第１切替弁により筒体の開口部を閉じるようにし且つ第２切替弁をその第１切替弁に近接させることにより、筒体の開口部の開口断面積を、第１切替弁の連通口の開口断面積より小さくして、筒体の外方から内方へと流入する水量を小とする小洗浄と、の少なくとも３段階に洗浄水量を調節する。
このように構成された本発明においては、第１切替弁には、その開口断面積が筒体の開口部の開口断面積より小さく、筒体の開口部を閉じたとき筒体の外方と内方とを連通させる連通口が形成され、第２切替弁は、第１切替弁に近接されたとき、第１切替弁に形成された連通口の開口断面積を減少させるように形成されているので、それらの切替弁の位置（第１切替弁においては、筒体の開口部から離間した位置、開口部を閉じる位置。第２切替弁においては、筒体の開口部から離間した位置、第１切替弁に近接した位置。）を調節するだけで、筒体の開口部を全開にして得られる大洗浄と、筒体の開口部の開口断面積を少なくとも第１切替弁の連通口の開口断面積と同程度の開口断面積まで減少させて得られる中洗浄と、筒体の開口部の開口断面積を第１切替弁の連通口の開口断面積より小さくして得られる小洗浄の少なくとも３段階の多段階の洗浄水量を、容易に得ることが出来る。また、連通口を形成した第１切替弁及びその連通口の開口断面積を減少させる第２切替弁という簡単な切替弁の構成により多段階洗浄を達成することが出来る。
【００１０】
本発明において、好ましくは、第１切替弁は、排水時、上記筒体の開口部を閉じるようにされたとき、上記筒体の外方と内方との洗浄水の流速差により生じる差圧により、上記筒体の開口部を閉じる状態に保持される。
このように構成された本発明においては、排水時、第１切替弁は、筒体の外方と内方との洗浄水の流速差により生じる差圧により、筒体の開口部を閉止する状態に保持されるので、モータなどの電気的手段により保持する必要がなく、より簡単な構造で多段階洗浄を達成することが出来る。
【００１１】
本発明において、好ましくは、さらに、排水開始時から排水終了時まで、第２切替弁を第１切替弁に近接する位置に保持する電気駆動手段を有する。
このように構成された本発明においては、第１切替弁の外方側に配置され、筒体の内外の圧力差で保持することが難しい第２切替弁を、その排水開始時から排水終了時まで、第１切替弁に近接する位置に保持する電気駆動手段を有するので、より確実に、第１切替弁の連通口の開口断面積を減少させた状態を維持することが出来、その結果、より確実に、多段階洗浄を達成することが出来る。
【００１２】
本発明において、好ましくは、第２切替弁は、第１切替弁側に延び、第１切替弁に近接された状態で第１切替弁の連通口に挿入可能な突出部を有する。
このように構成された本発明においては、第１切替弁の連通口の開口断面積を減少させるために、第２切替弁を第１切替弁に密接させる必要がなく、近接させた状態であっても第１切換弁の連通口に第２切換弁の突出部が挿入されることによって、第１切換え弁の連通口の開口断面積を減少させることができる。従って、電気駆動手段に連結される玉鎖などの組み付け誤差などにより、第２切替弁を第１切替弁に密接させることによる（密接させるには位置がほぼ一定となる）玉鎖などに大きなテンションがかかることを抑制して、玉鎖切れなどが発生することを防止することが出来る。
【００１３】
本発明において、好ましくは、排水弁は、排水口を開閉する弁体と、洗浄水を貯水すると共にその貯水された洗浄水を所定の小さな流量で排出するよう形成された小穴を備える貯水部を備える制御筒と、この貯水部内の水位の低下に伴って下降するようその貯水部内に設けられたフロートと、を有し、排水弁は、弁体が、フロートの下降と連動して下降して排水口を閉止するよう構成されている。
このように構成された本発明においては、排水弁が、制御筒の貯水部に貯水される洗浄水の低下により閉止動作を行うものであるので、筒体の開口断面積を調節して筒体の外方から内方に流入する洗浄水量が変わっても、その閉弁動作に影響を受けない構造となっており、その結果、より確実に多段階洗浄を得ることが出来る。
【発明の効果】
【００１４】
本発明の洗浄水タンク装置によれば、大洗浄及び小洗浄に加え、さらに洗浄水量の少ない小洗浄の少なくとも３段階を含む多段階の洗浄水量を達成することが出来る。
【図面の簡単な説明】
【００１５】
【図１】本発明の第１実施形態による洗浄水タンク装置が適用された水洗便器の断面図である。
【図２】本発明の第１実施形態による洗浄水タンク装置の概略構造を示す正面断面図である。
【図３】本発明の第１実施形態による洗浄水タンク装置の排水装置の分解斜視図である。
【図４】本発明の第１実施形態による洗浄水タンク装置の排水装置の断面図である。
【図５】本発明の第１実施形態による洗浄水タンク装置の排水装置の制御筒の斜視図である。
【図６】本発明の第１実施形態による洗浄水タンク装置の排水装置の斜視図である。
【図７】本発明の第１実施形態による洗浄水タンク装置の大洗浄モードにおける排水開始時の状態を示す概略断面図である。
【図８】本発明の第１実施形態による洗浄水タンク装置の大洗浄モードにおける排水途中の状態を示す概略断面図である。
【図９】本発明の第１実施形態による洗浄水タンク装置の大洗浄モードにおける排水終了後の状態を示す概略断面図である。
【図１０】本発明の第１実施形態による洗浄水タンク装置の小洗浄モードにおける排水開始時の状態を示す概略断面図である。
【図１１】本発明の第１実施形態による洗浄水タンク装置の小洗浄モードにおける排水開始直後の状態を示す概略断面図である。
【図１２】小洗浄モードの排水途中における第１切替弁の保持状態を説明するための要部拡大断面図である。
【図１３】本発明の第１実施形態による洗浄水タンク装置の小洗浄モードにおける排水途中の状態を示す概略断面図である。
【図１４】本発明の第１実施形態による洗浄水タンク装置の小洗浄モードにおける排水途中の状態を示す概略断面図である。
【図１５】本発明の第１実施形態による洗浄水タンク装置の小洗浄モードにおける排水終了後の状態を示す概略断面図である。
【図１６】本発明の第１実施形態による洗浄水タンク装置のエコ小洗浄モードにおける排水開始時の状態を示す概略断面図である。
【図１７】本発明の第１実施形態による洗浄水タンク装置のエコ小洗浄モードにおける排水開始直後の状態を示す概略断面図である。
【図１８】本発明の第１実施形態による洗浄水タンク装置のエコ小洗浄モードにおける排水途中の状態を示す概略断面図である。
【図１９】本発明の第１実施形態による洗浄水タンク装置のエコ小洗浄モードにおける排水終了直前の状態を示す概略断面図である。
【図２０】本発明の第１実施形態による洗浄水タンク装置のエコ小洗浄モードにおける排水終了後の状態を示す概略断面図である。
【図２１】本発明の第２実施形態による洗浄水タンク装置の概略構造を示す正面断面図である。
【図２２】本発明の第２実施形態による洗浄水タンク装置の大洗浄モードにおける排水開始時の状態を示す概略断面図である。
【図２３】本発明の第２実施形態による洗浄水タンク装置の大洗浄モードにおける排水途中の状態を示す概略断面図である。
【図２４】本発明の第２実施形態による洗浄水タンク装置の大洗浄モードにおける排水終了後の状態を示す概略断面図である。
【図２５】本発明の第２実施形態による洗浄水タンク装置の小洗浄モードにおける排水開始時の状態を示す概略断面図である。
【図２６】本発明の第２実施形態による洗浄水タンク装置の小洗浄モードにおける排水途中の状態を示す概略断面図である。
【図２７】本発明の第２実施形態による洗浄水タンク装置の小洗浄モードにおける排水途中の状態を示す概略断面図である。
【図２８】本発明の第２実施形態による洗浄水タンク装置の小洗浄モードにおける排水終了後の状態を示す概略断面図である。
【図２９】本発明の第２実施形態による洗浄水タンク装置のエコ小洗浄モードにおける排水開始時の状態を示す概略断面図である。
【図３０】本発明の第２実施形態による洗浄水タンク装置のエコ小洗浄モードにおける排水途中の状態を示す概略断面図である。
【図３１】本発明の第２実施形態による洗浄水タンク装置のエコ小洗浄モードにおける排水途中の状態を示す概略断面図である。
【図３２】図３２は、本発明の第２実施形態による洗浄水タンク装置の小洗浄モードにおける排水終了後の状態を示す概略断面図である。
【発明を実施するための形態】
【００１６】
次に、添付図面により、本発明の第１実施形態による洗浄水タンク装置を説明する。
先ず、図１により、本発明の第１実施形態による洗浄水タンク装置が適用された水洗便器を説明する。図１は、本発明の第１実施形態による洗浄水タンク装置が適用された水洗便器の断面図である。
【００１７】
図１に示すように、符号１は洗落し式の水洗便器を示し、この便器１は、便器本体２を備え、この便器本体２にはボウル部４と、導水路６と、ボウル部４の下部と連通するトラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００１８】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１９】
便器本体２の導水路６の上方には、便器本体２に供給する洗浄水を貯水する洗浄水タンク装置１８が設けられている。後述するように、洗浄水タンク装置１８の貯水タンク２２の底部には、便器本体２の導水路６と連通する排水口２２ａが形成され、貯水タンク２２内の洗浄水が導水路６へと排水されるようになっている。
【００２０】
次に、図２により、洗浄水タンク装置１８の概略構成について説明する。図２は、本発明の第１実施形態による洗浄水タンク装置の概略構造を示す正面断面図である。なお、本実施形態による洗浄水タンク装置は、上述した洗落し式以外の他のタイプの水洗便器（例えば、サイホン式水洗便器など）にも適用可能である。
【００２１】
図２に示すように、洗浄水タンク装置１８は、陶器製の外装タンク２０と、その内方に配置され、洗浄水が貯水される貯水タンク２２と、外装タンク２０に載せられる蓋体２４と、を備えている。
【００２２】
貯水タンク２２は、それを取り囲むように断熱体２６が設けられ、この断熱体２６を介して、所定の係合部材２８により、貯水タンク２２が外装タンク２０に取り付けられる。また、貯水タンク２２の底面には、上述した便器本体の導水路６に連通する排水口２２ａが形成されている。この排水口２２ａの側面に延びる排水口部材２２ｂを所定の係合部材３０で固定することによっても、貯水タンク２２が外装タンク２０に取り付けられる。
【００２３】
また、蓋体２４には、蓋体２４に形成された手洗い鉢２４ａに手洗い用の水を吐水する手洗いカラン３２が設けられている。手洗いカラン３２から吐水された手洗い鉢２４ａの水は、手洗い鉢２４ａに形成された吐水口（流入口）２４ｂにより、貯水タンク２２に流入される。
この蓋体２４の下方には、吐水口２４ｂから流入する水を、後述する排水装置７０の制御筒７８の外方に導く導水部材２５が設けられている。
【００２４】
次に、洗浄水タンク装置１８は、洗浄水給水装置３４を備えている。この洗浄水給水装置３４は、従来のものと同様のものであり、外部の水道管などの給水源（図示せず）に接続される給水管３６、給水装置用フロート３８、給水管３６と連通し、貯水タンク２２に洗浄水を吐水する吐水管４０、給水装置用フロート３８にレバー４２を介して連結される給水バルブ４４などを備えている。
【００２５】
本実施形態では、この洗浄水給水装置３４により、排水開始の所定時間後、給水を開始するようにしている。本実施形態では、貯水タンク２２の満水時の止水水位は、図２に示す位置（ＷＬ）で一定になるようにしている。
【００２６】
また、この洗浄水給水装置３４は、手洗いカラン３２に水を供給する手洗い給水管３１を備え、便器への洗浄水の供給開始時（排水開始時）、上述した蓋体２４の手洗いカラン３２に水の供給を開始するようにしている。
【００２７】
次に、洗浄水タンク装置１８は、操作装置４６及びこの操作装置４６の操作により作動される排水装置７０を備えている。
【００２８】
まず、操作装置４６について説明する。
操作装置４６は、操作レバー４８と、モータ５０と、このモータ５０に接続される操作ボタン５２（図２にのみ図示）と、を備える。操作ボタン５２は、後述する大洗浄用、小洗浄用、エコ小洗浄用の３つの操作ボタンを備えている。
【００２９】
操作レバー４８は、一方（本実施形態では、手前側）に（９０度）回動させると、後述する大洗浄が開始され、他方（本実施形態では、奥側）に（９０度）回動させると、後述する小洗浄が開始されるように、排水装置７０を作動させる手動式の操作レバーである。また、モータ５０は、大洗浄のボタンが押されると、操作レバー４８と同一の一方（手前側）の方向に回転し、小洗浄のボタンが押されると、操作レバー４８と同一の他方（奥側）の方向に回転して、それぞれ、大洗浄或いは小洗浄が開始されるように排水装置７０を作動させるようになっている。このように、本実施形態では、使用者は、大洗浄及び小洗浄については、操作レバー４８を操作しても良いし、操作ボタン５２を押しても良い。エコ小洗浄については、モータ５０によってのみ、即ち、使用者が操作ボタンを押すことによって、排水装置７０が作動される。
【００３０】
これらの操作レバー４８及びモータ５０には、ワイヤ部材やユニバーサルジョイントなどにより構成される回転伝達部材５４が連結されている。この回転伝達部材５４の他端側には、その回転に伴って、回転伝達部材５４を中心に揺動する第１の引き上げ部材５６及び第２の引き上げ部材５８が取り付けられ、これらの第１の引き上げ部材５６及び第２の引き上げ部材５８の先端部には、それぞれ、第１玉鎖６０の上端部分及び第２玉鎖６２の上端部分が取り付けられている。
【００３１】
これらの第１の引き上げ部材５６及び第２の引き上げ部材５８は、回転伝達部材５４を一方側（大洗浄時）に回転させると、第１の引き上げ部材５６のみが、その一方側に揺動して第１玉鎖６０のみを引き上げ、一方、回転伝達部材５４を他方側（小洗浄時、エコ小洗浄時）に回転させると、第１の引き上げ部材５６及び第２の引き上げ部材５８の両方が、その他方側に揺動して第１玉鎖６０及び第２玉鎖６２の両方を引き上げるような機械的な機構とされている。
【００３２】
次に、図２乃至図５により、排水装置７０について説明する。
図３は、本発明の第１実施形態による洗浄水タンク装置の排水装置の分解斜視図であり、図４は、本発明の第１実施形態による洗浄水タンク装置の排水装置の断面図であり、図５は、本発明の第１実施形態による洗浄水タンク装置の排水装置の制御筒の斜視図であり、図６は、本発明の第１実施形態による洗浄水タンク装置の排水装置の斜視図である。
【００３３】
先ず、図３に示すように、本実施形態による洗浄水タンク装置の排水装置７０は、弁体７２と、オーバーフロー管７４と、筒体７６と、制御筒７８と、フロート８０と、オーバーフロー管に固定される固定部材８２と、筒体７６に形成された後述する開口部７６ｃを開閉する切替弁８４（９０、９２）と、を有する。
【００３４】
先ず、図２乃至図６により、排水装置７０が備える排水弁機構を説明する。
先ず、弁体７２は、図２及び図４に示すように、オーバーフロー管７４の下端部に形成された断面コ字状の弁体保持部７４ａにはめ込まれ、オーバーフロー管７４と共に上下動して、排水口２２ａを開閉する排水弁として機能する。また、オーバーフロー管７４の側面には、その上下方向の中間部に、固定部材８２を保持するための凹部７４ｂが一周にわたって延びるように形成されている。
【００３５】
次に、図４及び図５に示すように、制御筒７８には、ほぼ円筒状の外側壁７８ａと、オーバーフロー管７４の上下動をガイドする役割を有する円筒状の内側壁７８ｂと、が形成されている。また、図４に示すように、制御筒７８には、これらの側壁７８ａ、７８ｂと共に洗浄水を貯水可能にする中間水平壁７８ｃが形成され、これらの側壁７８ａ、７８ｂ及び中間水平壁７８ｃにより貯水筒（貯水部）７８ｄが構成される。
【００３６】
また、貯水筒７８ｄの外側壁７８ａには、貯水筒７８ｄ内に貯水された洗浄水を所定の流量で流出させるための２つの小穴７８ｅ、７８ｆが形成されている。そして、一方の小穴７８ｅは、スライド部材（切替部材）８６によりスライドして開閉可能となっており、貯水筒７８ｄ内から流出させる洗浄水の流量を調節することが出来るようになっている。
【００３７】
また、制御筒７８の外側壁７８ａには、上述した貯水筒７８ｄより下方部分に、排水時に、制御筒７８の外方側の洗浄水を排水口２２ａに流入させるための流入口７８ｇが形成されている。
【００３８】
次に、図４に示すように、上述した貯水筒７８ｄの内方にフロート８０が配置されている。この上方には、所定の機能を有する固定部材８２が、上述したオーバーフロー管７４の凹部７４ｂ内に側方からはめ込まれ、これにより、固定部材８２は、オーバーフロー管７４に対して水平方向に回転できるように取り付けられ、一方、オーバーフロー管７４に対して上下方向には移動出来ないよう固定されるようになっている。
【００３９】
先ず、固定部材８２には、上述した第１の引き上げ部材５６に取り付けられた第１玉鎖６０の下端部分が取り付けられ、排水時に、オーバーフロー管７４を引き上げるために使用される。使用者が操作レバー４８を回転させ、或いは、洗浄のボタンが押されモータ５０が作動されると、第１玉鎖６０が引き上げられるが、その際に、オーバーフロー管７４の弁体７２は貯水タンク２２内に貯水されている洗浄水のヘッド圧により鉛直下方向に抑えられているため、先ず、固定部材８２がオーバーフロー管７４に対して水平方向に回転し、その後、オーバーフロー管７４が鉛直上方に移動することになる。
このような構成により、オーバーフロー管７４が回転しながら鉛直方向上方に移動することを防ぐことができ、排水装置７０の開弁動作を安定させることができる。
【００４０】
次に、固定部材８２は、満水時には、フロート８０の上昇を抑えるストッパとしての機能を有し、排水時には、後述するように、オーバーフロー管７４及び弁体７２が、フロート８０の下降と連動して下降するよう、オーバーフロー管７４とフロート８０とを接続する機能を有する。固定部材８２は、これらの機能を有するように、フロート８０の上面に十分に当接するような形状及び大きさに形成されている。ここで、フロート８０の浮力は、満水時、弁体７２にかかる水圧によりオーバーフロー管７４及び弁体７２を上昇させないような浮力に設定され、排水時には、オーバーフロー管７４及び弁体７２にかかる下方向きの力よりやや大きい浮力に設定されている。なお、フロート８０とオーバーフロー管７４とを互いに固定して、常時接続するようにしても良い。
【００４１】
次に、図２乃至図４、図６により、筒体７６及び切替弁８６などにより構成される流量調節機構について説明する。
先ず、図３及び図６に示すように、筒体７６は、その横断面形状がほぼ矩形状に形成され、４辺の上縁部７６ａを有し、上方が開放されている。また、筒体７６は、矩形状に形成された筒体７６の４つの側面のうち、１つの側面７６ｂにのみ、開口部７６ｃが１つだけ形成されている。開口部７６ｃは、矩形状に形成されている。
【００４２】
そして、この開口部７６ｃを開閉可能な切替弁８４として、図３、図４及び図６に示すように、第１切替弁９０及びその外方側に設けられる第２切替弁９２が設けられている。
【００４３】
図３に示すように、筒体７６は、開口部７６ｃの下方且つ側方の両側に軸７６ｄを備え、第１切替弁９０は、それらの軸７６ｄにより揺動自在に嵌められる受部９０ａを備え、第２切替弁９２には、その受部９０ａに揺動自在に嵌められる孔部９２ａが形成されている。そして、図６に示すように、筒体７６に第１切替弁９０及び第２切替弁９２が取り付けられると、それらの軸７６ｄ、受部９０ａ、孔部９２ａにより、軸体９４が構成される。
【００４４】
従って、第１切替弁９０は、この軸体９４により、軸体９４を中心に、下方位置から開口部７６ｃを閉じる位置まで揺動可能になり、第２切替弁９２は、下方位置から開口部７６ｃを閉じた第１切替弁９０に隣接する位置まで揺動可能になっている。
【００４５】
次に、図３、図４及び図６に示すように、第１切替弁９０には、第１切替弁９０が開口部７６ｃを閉じたとき、筒体７６の外方と内方とを連通させる連通口９０ｂが形成されている。この連通口９０ｂの開口断面積は、開口部７６ｃの開口断面積よりも小さく、その大きさは、開口部７６ｃを全開にしたときより、洗浄水の流量が所定量少なくなるような大きさに形成されている。このように、第１切替弁９０は、筒体７６の開口部７６ｃの開口断面積を調節（減少）することが出来るようになっている。
【００４６】
次に、第２切替弁９２には、第１切替弁９０側に向けて延びる突出部９２ｂが形成されている。この突出部９２ｂは、第２切替弁９２が第１切替弁９０に近接され或いは隣接されたとき、第１切替弁９０の連通口９０ｂに挿入可能な位置及び角度に形成されている。
【００４７】
また、この第２切替弁９２には、上述した軸体９４の反対側の先端位置に、上述した第２の引き上げ部材５８に取り付けられた第２玉鎖６２の下端部分が取り付けられている。また、第１切替弁９０には、錘９６が取り付けられ、第２切替弁９２には、錘９８が取り付けられている。
【００４８】
図２及び図４に示すように、筒体７６の内方に制御筒７８が取り付けられ、図２に示すように、筒体７６及び制御筒７８は、排水口２２ａを取り囲むように貯水タンク２２の底部に取り付けられ、これにより、オーバーフロー管７４が上下動可能に構成され、弁体７２が排水口２２ａを開閉するようにされている。
【００４９】
このとき、図２及び図４に示すように、制御筒７８及び筒体７６は、それぞれ、制御筒７８の貯水筒（貯水部）７８ｄの外側壁７８ａに形成された小穴７８ｅ、７８ｆが、筒体７６に形成された開口部７６ｃの反対側に位置するように取り付けられている。
【００５０】
次に、本発明の第１実施形態によるタンク装置の動作を説明する。
先ず、図７乃至図９により、本発明の第１実施形態による洗浄水タンク装置により実行される３種類の洗浄モードのうち、大洗浄モードを説明する。
図７は、本発明の第１実施形態による洗浄水タンク装置の大洗浄モードにおける排水開始時の状態を示す概略断面図であり、図８は、本発明の第１実施形態による洗浄水タンク装置の大洗浄モードにおける排水途中の状態を示す概略断面図であり、図９は、本発明の第１実施形態による洗浄水タンク装置の大洗浄モードにおける排水終了後の状態を示す概略断面図である。
【００５１】
なお、以下で説明する大洗浄、小洗浄、エコ小洗浄の各洗浄モードは、いずれも、上述した貯水筒７８ｄに形成した小穴７８ｅ、７８ｆが２つとも開かれている状態（スライド部材８６で小穴７８ｅを閉じない状態）での例である。
【００５２】
先ず、図７に示すように、大洗浄モードの開始時、使用者が操作レバー４８を手前側に９０度回転させ、或いは、大洗浄のボタンが押されモータ５０が作動（駆動）されると、第１の引き上げ部材５６のみが揺動され、第１玉鎖６０を介してオーバーフロー管７４及び弁体７２が、図７に示すような高さ位置まで引き上げられ、これにより、排水口２２ａが開いて、排水が開始される。
【００５３】
このような引き上げの完了の直後に操作レバー４８は初期位置に戻されて、第１の引き上げ部材５６が初期位置に戻され、或いは、モータ５０の作動により引き上げが行われたときは、引き上げの完了の直後に第１の引き上げ部材５６が初期位置に戻るようにモータ５０が作動される。
なお、このとき、第２の引き上げ部材５８は揺動されないので、筒体７６の開口部７６ｃを開閉する各切替弁９０、９２は、図７に示すように、開口部７６ｃから離間した位置のままである。従って、筒体７６の開口部７６ｃは全開であり、その開口断面積も変わらない。
【００５４】
次に、図８に示すように、排水開始後、貯水タンク２２内の洗浄水の全体の水位（ＷＬ）が時間と共に低下し、水位が筒体７６の上縁部７６ａ付近まで低下した時点で、筒体７６内の洗浄水が急激に排水口２２ａから排出されるようになる。
【００５５】
また、これに伴い、貯水筒７８ｄ内の洗浄水の水位は、小穴７８ｅ、７８ｆから流出する流量に応じて所定の速度で低下し始める。従って、そのような貯水筒７８ｄ内の水位の低下に伴ってフロート８０も下降し、そのフロート８０の下降に連動してオーバーフロー管７４及び弁体７２も、フロート８０の下降速度と同じ速度で下降する。そして、所定時間経過後、貯水筒７８ｄ内の洗浄水の水位がフロート８０に浮力を与えない水位まで低下したとき、弁体７２が排水口２２ａを閉じ（閉弁）、排水が終了する。
【００５６】
次に、図９に示す水位（ＷＬ１）は、閉弁直後の筒体７６の外方の水位であり、水位（ＤＷＬ）は、そのような閉弁後に、筒体７６の外方の洗浄水が、開口部７６ｃを介して筒体７６の内方に流入し、最終的に得られる、死水水位である。
このように、閉弁直後の筒体７６の外方の水位（ＷＬ１）が、開口部７６ｃの上縁より上方に位置するようにすることで、開口部７６ｃへ流入する洗浄水をヘッド圧が高いものとなり、洗浄が終了するまで水勢の強い洗浄水が排水される。
【００５７】
次に、図１０乃至図１５により、本発明の第１実施形態による洗浄水タンク装置により実行される小洗浄モードを説明する。
図１０は、本発明の第１実施形態による洗浄水タンク装置の小洗浄モードにおける排水開始時の状態を示す概略断面図であり、図１１は、本発明の第１実施形態による洗浄水タンク装置の小洗浄モードにおける排水開始直後の状態を示す概略断面図であり、図１２は、小洗浄モードの排水途中における第１切替弁の保持状態を説明するための要部拡大断面図であり、図１３は、本発明の第１実施形態による洗浄水タンク装置の小洗浄モードにおける排水途中の状態を示す概略断面図であり、図１４は、本発明の第１実施形態による洗浄水タンク装置の小洗浄モードにおける排水途中の状態を示す概略断面図であり、図１５は、本発明の第１実施形態による洗浄水タンク装置の小洗浄モードにおける排水終了後の状態を示す概略断面図である。
【００５８】
先ず、図１０に示すように、小洗浄モードの開始時、使用者が操作レバー４８を奥側に９０度回転させ、或いは、小洗浄のボタンが押されモータ５０が作動されると、第１の引き上げ部材５６及び第２の引き上げ部材５８の両方が揺動して、第１玉鎖６０を介してオーバーフロー管７４及び弁体７２が図１０に示すような高さ位置まで引き上げられて、排水口２２ａが開いて、排水が開始される。また同時に、第２玉鎖６２を介して第２切替弁９２が引き上げられる。この第２切替弁９２の内方側には第１切替弁９０が設けられているので、第１切替弁９０も第２切替弁９２により引き上げられ、本実施形態では、図１０に示すように、開口部７６ｃを閉じる位置まで引き上げられる。
【００５９】
このような引き上げの完了の直後に操作レバー４８は初期位置に戻されて、第１の引き上げ部材５６及び第２の引き上げ部材５８は初期位置に戻され、或いは、モータ５０の作動により引き上げが行われたときは、引き上げの完了の直後に第１の引き上げ部材５６及び第２の引き上げ部材５８が初期位置に戻るようにモータ５０が作動される。
【００６０】
そして、第２の引き上げ部材５８が初期位置に戻されると、第２切替弁９２は、その自重により、図１１に示すような初期の位置に戻る。また、錘９８により、より確実に、このような初期の位置に戻るようになっている。
【００６１】
一方、第１切替弁９０は、開口部７６ｃを閉じる位置に保持されたままである。これを図１２により説明する。
図１２に示すように、排水開始後、筒体７６の内方を流れる洗浄水の流速が、筒体７６の外方を流れる洗浄水の流速より相対的に大きくなる。これは、筒体７６の内方の流路面積が、第１切替弁９０の連通口９０ｂの流路面積より大きいためである。そして、筒体７６の内方を流れる洗浄水の流速が、筒体７６の外方を流れる洗浄水の流速より相対的に大きくなると、図１２に示すように、第１切替弁９０の内外で差圧が生じ、第１切替弁９０には、図１２に示すような力が加わって、閉じた状態に保持される。
【００６２】
また、図１４で説明するように、筒体７６内の洗浄水が急激に排水口２２ａから排出され、筒体７６内の洗浄水が無くなるような状態では、筒体７６の外方の洗浄水の水圧により保持される。
【００６３】
一方、第２切替弁９２は、受圧面積が小さいため、このような圧力差の影響を受けにくく、上述したように、自重や錘９８により、初期位置に戻る。
【００６４】
このように、第１切替弁９０は、開口部７６ｃを閉じた状態に保持され、これにより、筒体７６の開口部７６ｃの開口断面積は、第１切替弁９０の連通口９０ｂの開口断面積まで減少される。従って、開口部７６ｃを介して、筒体７６の外方から内方へ流入する洗浄水の流量は、その開口断面積の減少分、少なくなる。
【００６５】
次に、図１３に示すように、貯水タンク２２内の洗浄水の全体の水位（ＷＬ）が時間と共に低下し、その後、図１４に示すように、上述した大洗浄モードと同様に、水位が筒体７６の上縁部７６ａ付近まで低下した時点で、筒体７６内の洗浄水が急激に排水口２２ａから排出されるようになる。
【００６６】
また、これに伴い、貯水筒７８ｄ内の洗浄水も、小穴７８ｅ、７８ｆから流出する流量に応じて所定の速度で低下し始める。従って、そのような貯水筒７８ｄ内の水位の低下に伴ってフロート８０も下降し、そのフロート８０の下降に連動してオーバーフロー管７４及び弁体７２も、フロート８０の下降速度と同じ速度で下降する。そして、所定時間経過後、貯水筒７８ｄ内の洗浄水の水位がフロート８０に浮力を与えない水位まで低下したとき、弁体７２が排水口２２ａを閉じ、排水が終了する。このときのフロート８０、オーバーフロー管７４及び弁体７２の下降速度は、大洗浄時とほぼ同じである。従って、貯水筒７８ｄ内の洗浄水の水位が低下し始めてから、閉弁に至るまでの時間は、大洗浄モードとほぼ同じとなる。
【００６７】
図１５に示す水位（ＷＬ２）は、閉弁直後の筒体７６の外方の水位であり、水位（ＤＷＬ）は、そのような閉弁後に、筒体７６の外方の洗浄水が、開口部７６ｃを介して筒体７６の内方に流入し、最終的に得られる、死水水位である。
このように、閉弁直後の筒体７６の外方の水位（ＷＬ２）が、開口部７６ｃの上縁より上方に位置するようにすることで、開口部７６ｃへ流入する洗浄水をヘッド圧が高いものとなり、大洗浄モードと同様に、小洗浄モードでも、洗浄が終了するまで水勢の強い洗浄水が排水される。
【００６８】
次に、図１６乃至図２０により、本発明の第１実施形態による洗浄水タンク装置により実行されるエコ小洗浄モードを説明する。
図１６は、本発明の第１実施形態による洗浄水タンク装置のエコ小洗浄モードにおける排水開始時の状態を示す概略断面図であり、図１７は、本発明の第１実施形態による洗浄水タンク装置のエコ小洗浄モードにおける排水開始直後の状態を示す概略断面図であり、図１８は、本発明の第１実施形態による洗浄水タンク装置のエコ小洗浄モードにおける排水途中の状態を示す概略断面図であり、図１９は、本発明の第１実施形態による洗浄水タンク装置のエコ小洗浄モードにおける排水終了直前の状態を示す概略断面図であり、図２０は、本発明の第１実施形態による洗浄水タンク装置のエコ小洗浄モードにおける排水終了後の状態を示す概略断面図である。
【００６９】
先ず、図１６に示すように、エコ小洗浄モードの開始時、使用者がエコ小洗浄のボタンが押し、モータ５０が作動されると、第１の引き上げ部材５６及び第２の引き上げ部材５８の両方が揺動して、第１玉鎖６０を介してオーバーフロー管７４及び弁体７２が図１６に示すような高さ位置まで引き上げられて、排水口２２ａが開いて、排水が開始される。また同時に、第２玉鎖６２を介して第２切替弁９２が引き上げられる。この第２切替弁９２の内方側には第１切替弁９０が設けられているので、第１切替弁９０も第２切替弁９２により引き上げられ、本実施形態では、第１切替弁９０及び第２切替弁９２は、図１６に示すような角度位置まで引き上げられ、開口部７６ｃに所定距離近接される。
【００７０】
本実施形態では、エコ小洗浄モードのとき、このような引き上げの完了後、第１の引き上げ部材５６及び第２の引き上げ部材５８が、その位置に保持（ホールド）されるようモータ５０が作動される。即ち、オーバーフロー管７４、弁体７２、及び、第２切替弁９２は、図１６に示す位置に保持され、後述するように、その状態が所定時間、保持される。
【００７１】
一方、第１切替弁９０は、図１７に示すように、筒体７６の内方を流れる洗浄水の流速による負圧により、開口部７６ｃ側に引きつけられ、その後、上述したように、筒体７６の内外の流速差により生じる差圧により、開口部７６ｃを閉じる位置に保持される。この図１７に示すように、第２切替弁９２が保持される角度位置は、第１切替弁９０が開口部７６ｃを閉じる位置に保持されているとき、第２切替弁９２に形成された突出部９２ｂが、第１切替弁９０の連通口９０ｂに挿入されているように設定されている。
【００７２】
なお、上述した小洗浄モードでも、排水開始時の第２切替弁９２の引き上げを、図１６のような角度位置までにして、第１切替弁９０を、上述した負圧により開口部７６ｃ側に引きつけると共に上述した筒体内外の差圧により開口部７６ｃを閉じる位置に保持するようにしても良い。
【００７３】
このように、エコ小洗浄モードでは、第１切替弁９０は、開口部７６ｃを閉じた状態に保持され、第２切替弁９２は、第２の引き上げ部材５８、玉鎖６２などを介してモータ５０により図１７に示すような角度位置に保持され、この角度位置では、第２切替弁９２に形成された突出部９２ｂが、第１切替弁９０の連通口９０ｂに挿入されているので、第１切替弁９０の連通口９０ｂの開口断面積を減少させる。従って、筒体７６の開口部７６ｃの開口断面積は、小洗浄モードのときよりさらに減少し、これにより、開口部７６ｃを介して、筒体７６の外方から内方へ流入する洗浄水の流量は、小洗浄モードのときより、さらに少なくなる。
【００７４】
次に、図１８に示すように、上述した大洗浄時及び小洗浄時と同様に、水位が筒体７６の上縁部７６ａ付近まで低下した時点で、筒体７６内の洗浄水が急激に排水口２２ａから排出されるようになる。
また、これに伴い、貯水筒７８ｄ内の洗浄水も、小穴７８ｅ、７８ｆから流出する流量に応じて所定の速度で低下し始める。ここで、このエコ洗浄モードでは、オーバーフロー管７４及び弁体７２が保持（ホールド）されているので、大洗浄モード及び小洗浄モードと異なり、図１９に示すように、貯水筒７８ｄ内の水位の低下に伴ってフロート８０のみが下降する。
【００７５】
そして、所定時間経過後、オーバーフロー管７４及び弁体７２の保持及び第２切替弁９２の保持を解除し、オーバーフロー管７４及び弁体７２を下降させて、弁体７２が排水口２２ａを閉じ、排水が終了する。
【００７６】
この排水終了時のオーバーフロー管７４及び弁体７２の保持（ホールド）の解除について詳細に説明する。本実施形態では、モータ５０による保持を解除し、オーバーフロー管７４及び弁体７２を、基本的にはそれらの自重により自由落下させて下降させるが、モータ５０のギアなどの機械摩擦等により少なからず反力を与えて、その下降速度を所定の速度に落とすようにしている。なお、保持を解除した後、モータ５０を電気的に駆動して下降速度を調節するようにしても良い。
【００７７】
本実施形態では、保持を解除するタイミングは、貯水筒７８ｄ内の洗浄水の水位がフロート８０に浮力を与えない水位まで低下したときとしている。
なお、保持を解除するタイミングは、オーバーフロー管７４及び弁体７２が、上述した所定の速度で下降し、オーバーフロー管７４に固定された固定部材８２がフロート８０の上面に当接した時点と、貯水筒７８ｄ内の洗浄水の水位がフロート８０に浮力を与えない水位まで低下した時点と、がほぼ同時となるように設定しても良い。
【００７８】
図２０に示す水位（ＷＬ３）は、閉弁直後の筒体７６の外方の水位であり、水位（ＤＷＬ）は、そのような閉弁後に、筒体７６の外方の洗浄水が、開口部７６ｃを介して筒体７６の内方に流入し、最終的に得られる、死水水位である。
【００７９】
このように、閉弁直後の筒体７６の外方の水位（ＷＬ３）が、開口部７６ｃの上縁より上方に位置するようにすることで、開口部７６ｃへ流入する洗浄水をヘッド圧が高いものとなり、大洗浄モード及び小洗浄モードと同様に、エコ小洗浄モードでも、洗浄が終了するまで水勢の強い洗浄水が排水される。
【００８０】
以上説明したように、各洗浄モードにおいて、閉弁直後の筒体７６の外方の水位（ＷＬ１、ＷＬ２、ＷＬ３）を、開口部７６ｃより上方に位置するようにすることで、開口部７６ｃへ流入する洗浄水をヘッド圧が高いものとすることが出来、これにより、本実施形態の洗浄水タンク装置を、特に、図１に示すような洗落し式大便器に備えた場合、洗浄効果が排水終了時まで持続され、効果が高いものとなる。
【００８１】
ここで、大洗浄、小洗浄、エコ小洗浄の各洗浄モードは、いずれも、上述した貯水筒７８ｄに形成した小穴７８ｅ、７８ｆが２つとも開いた状態（スライド部材８６で小穴７８ｅを閉じない状態）で説明したが、大洗浄モード及び小洗浄モードでは、小穴７８ｅ、７８ｆのうち、一方の小穴７８ｅをスライド部材８６で閉じれば、その貯水筒７８ｄ内の洗浄水の水位の低下速度を遅くさせて、閉弁タイミングを遅くすることにより（図８における説明も参照）、それらの各洗浄モードにおける洗浄水量を増量させることが出来る。
【００８２】
なお、本実施形態では、エコ小洗浄の各洗浄モードは、エコ小洗浄のボタンが押されるとモータ５０が作動し、第１の引き上げ部材５６及び第２の引き上げ部材５８の両方が駆動され、第１切替弁９０及び第２切替弁９２が開口部７６ｃに所定距離近接されることでエコ小洗浄を行っているが、使用者が、操作レバー４８を第１の引き上げ部材５６及び第２の引き上げ部材５８の両方を引き上げる方向に回転させ、所定の短い時間保持し、その後、筒体７６の外方の洗浄水の水圧により開口部７６ｃに第１切替弁９０及び第２切替弁９２を密着させることで行うこともできる。
【００８３】
上述した本発明の第１実施形態による洗浄水タンク装置１８によれば、貯水タンク２２の排水口２２ａから水洗便器１へと供給される洗浄水の水量が、大洗浄モード、小洗浄モード、エコ小洗浄モードの多段階が得られるよう、筒体７６の開口部７６ｃの開口断面積を調節可能に開閉する切替弁９０、９２を有するので、効果的に、簡単な構造で、多段階の洗浄水量を得ることが出来る。その結果、近年の節水ニーズの要請も満たすことが出来る。
【００８４】
また、筒体７６には、開口部７６ｃが１つだけ形成され、その１つの開口部７６ｃの開口断面積を減少可能に構成された第１切替弁９０と、この第１切替弁と共に開口部７６ｃの開口断面積をさらに減少可能に構成された第２切替弁９２と、を有するので、筒体７６の開口部７６ｃを全開にして筒体７６の外方から内方に流入する洗浄水の流量を大とする大洗浄モードと、第１切替弁９０により開口部７６ｃの開口断面積を減少させて筒体７６の外方から内方に流入する洗浄水の流量を中とする小洗浄モードと、第１切替弁９０と第２切替弁９２とにより筒体の開口部の開口断面積をさらに減少させて筒体７６の外方から内方に流入する洗浄水の流量をさらに減少させるエコ小洗浄モードを、１つの開口部７６を２つの切替弁９０、９２で開閉する簡単な構造で得ることが出来る。
【００８５】
また、第１切替弁９０には、その開口断面積が筒体７６の開口部７６ｃの開口断面積より小さく、筒体７６の開口部７６ｃを閉じたとき筒体７６の外方と内方とを連通させる連通口９０ｂが形成され、第２切替弁９２は、第１切替弁９０に近接されたとき、第１切替弁９０に形成された連通口９０ｂの開口断面積を減少させるように形成されているので、それらの切替弁の位置を上述したように調節するだけで、筒体７６の開口部７６ｃを全開にして得られる大洗浄モードと、筒体７６の開口部７６ｃの開口断面積を第１切替弁９０の連通口９０ｂの開口断面積と同程度の開口断面積まで減少させて得られる小洗浄モードと、筒体７６の開口部７６ｃの開口断面積を第１切替弁９０の連通口９０ｂの開口断面積より小さくして得られるエコ小洗浄モードの３段階の洗浄水量を容易に得ることが出来る。また、連通口９０ｂを形成した第１切替弁９０及びその連通口９２の開口断面積を減少させる第２切替弁９２という簡単な構成により多段階洗浄を達成することが出来る。
【００８６】
また、排水時、第１切替弁は、筒体の外方と内方との洗浄水の流速差により生じる差圧により、筒体の開口部を閉止する状態に保持されるので、モータなどの電気的手段により保持する必要がなく、より簡単な構造で多段階洗浄を達成することが出来る。
【００８７】
また、第２切替弁９２は、エコ小洗浄モードのとき、排水開始時から排水終了時まで、モータ８０により、第１切替弁９０に近接する位置に保持されるので、第１切替弁９０の外方側に配置され、筒体７６の内外の圧力差で保持することが難しい第２切替弁９２を、その排水開始時から排水終了時まで、より確実に、第１切替弁９０の連通口９０ｂの開口断面積を減少させた状態を維持することが出来る。
【００８８】
また、第２切替弁９２は、第１切替弁９０の側に延び、第１切替弁９０に近接された状態で第１切替弁９０の連通口９０ｂに挿入可能な突出部９２ｂを有するので、第１切替弁９０の連通口９０ｂの開口断面積を減少させるために、第２切替弁９２を第１切替弁９０に密接させる必要がなく、近接させた状態であれば位置が多少ずれてもよい。従って、エコ小洗浄モードのとき、モータ５０で引き上げられる玉鎖６２の組み付け誤差などにより、第２切替弁９２を第１切替弁９０に密接させることによる（密接させるには位置がほぼ一定となる）玉鎖６２に大きなテンションがかかることを抑制して、玉鎖切れが発生することを防止することが出来る。
【００８９】
排水装置は、排水口２２ａを開閉する弁体７２と、洗浄水を貯水すると共にその貯水された洗浄水を所定の小さな流量で排出するよう形成された小穴７８ｆ（７８ｅ）を備える貯水部７８ｄを備える制御筒７８と、この貯水部７８ｄ内の水位の低下に伴って下降するようその貯水部７８ｄ内に設けられたフロート８０と、を備え、弁体７２が、フロート８０の下降と連動して下降して排水口２２ａを閉止するよう構成されているので、制御筒７８の貯水部７８ｄに貯水される洗浄水の低下により閉止動作を行うものであり、筒体７６の開口断面積を調節して筒体７６の外方から内方に流入する洗浄水量が変わっても、その閉弁動作に影響を受けない構造となっており、その結果、より確実に多段階洗浄を得ることが出来る。
【００９０】
次に、図２１により、本発明の第２実施形態による洗浄水タンク装置を説明する。
図２１は、本発明の第２実施形態による洗浄水タンク装置の概略構造を示す正面断面図である。なお、第２実施形態による洗浄水タンク装置は、上述した第１実施形態と基本構造は同じであり、排水装置１７０の構造及び玉鎖の接続構造が異なるので、以下、その異なる部分のみを説明する。なお、第１実施形態と同様の構成のものは、同一の符号を使用している。
【００９１】
図２１に示すように、第２実施形態による洗浄水タンク装置１１８の排水装置１７０は、筒体１７６、この筒体１７６の内方に配置される制御筒１７８、この制御筒１７８の内方に配置されるフロート１８０を備えている。
【００９２】
筒体１７６は、ほぼ断面矩形状に形成され、その一側面には、その上下方向のほぼ中間部に第１の開口部１７６ｃが形成され、また、同じ側面のその第１の開口部１７６ｃより上方には、上方が開放するように切り欠いて形成された第２の開口部（切り欠き開口部）１７６ｄが形成されている。なお、この第２の開口部１７６ｄは、上方部分が開放されていない第１の開口部１７６ｃのようなものでも良い。
【００９３】
そして、筒体１７６には、第１の開口部１７６ｃを開閉可能な第１の切替弁１９０と、第２の開口部１７６ｄの側方を開閉可能な第２の切替弁１９２と、が設けられている。これらの切替弁１９０、１９２は、それぞれの開口部１７６ｃ、１７６ｄを側方から塞ぐことが出来るようになっており、上述した第１実施形態の第１切替弁９０のような連通口９０ｂのようなものは形成されていない。
【００９４】
第２実施形態では、第２の引き上げ部材５８に、第２の玉鎖１６１及び第３の第３の玉鎖１６２の上端部分がそれぞれ取り付けられ、第２の玉鎖１６１の下端部分が第１の切替弁１９０に取り付けられ、第３の玉鎖１６２の下端部分が第２の切替弁１９２に取り付けられている。
【００９５】
第１の引き上げ部材５６には、第１の玉鎖１６０の上端部分が取り付けられている。
フロート１８０は、円弧状に形成された上面を有するフロート本体１８０ａと、上下方向に延びる棒状部分１８０ｂ、１８０ｃとを有し、棒状部分１８０ｂの上端部に玉鎖１６０の下端部分が取り付けられている。また、棒状部分１８０ｃの下端部には、排水口２２ａを開閉する弁体１７２が取り付けられている。
【００９６】
制御筒１７８は、円筒状の側壁１７８ａと、フロート本体１８０ａの上面の形状に合うように形成された円弧状の横壁部１７８ｂと、を有し、この横壁部１７８には、フロート１８０の上方棒状部分１８０ｂを貫通させる孔部１７８ｃが形成されている。
制御筒１７８には、後述するように、フロート１８０が浮力により横壁部１７８ｃの下面に密着したときに、洗浄水を貯水する貯水部１７８ｄと、洗浄水を保留する洗浄水保留部１７８ｅと、がそれぞれ形成されている。
制御筒１７８の下方部分には、外方側の洗浄水を排水口２２ａに流入させるための流入口１７８ｆが形成されている。
【００９７】
次に、本発明の第２実施形態によるタンク装置の動作を説明する。
先ず、図２２乃至図２４により、第２実施形態による大洗浄モードを説明する。
図２２は、本発明の第２実施形態による洗浄水タンク装置の大洗浄モードにおける排水開始時の状態を示す概略断面図であり、図２３は、本発明の第２実施形態による洗浄水タンク装置の大洗浄モードにおける排水途中の状態を示す概略断面図であり、図２４は、本発明の第２実施形態による洗浄水タンク装置の大洗浄モードにおける排水終了後の状態を示す概略断面図である。
【００９８】
先ず、図２２に示すように、大洗浄モードの開始時、使用者が操作レバー４８を手前側に９０度回転させ、或いは、大洗浄のボタンが押されモータ５０が作動されると、第１の引き上げ部材５６のみが揺動され、第１の玉鎖１６０を介してフロート１８０が引き上げられる。これにより、排水口２２ａが開いて、排水が開始される。
【００９９】
このとき、フロート１８０は、図２２に示すような円弧状の横壁部１７８ｂに密着し、孔部１７８ｃを塞ぐ位置まで引き上げられ、貯水部１７８ｄ及び洗浄水保留部１７８ｅには、それぞれ、洗浄水が満たされている状態となっている。
【０１００】
このような引き上げの完了の直後に操作レバー４８は初期位置に戻されて、第１の引き上げ部材５６が初期位置に戻され、或いは、第１の引き上げ部材５６が初期位置に戻るようにモータ５０が作動される。
【０１０１】
次に、図２３に示すように、排水開始後、貯水タンク２２内の洗浄水の全体の水位（ＷＬ）が時間と共に低下し、水位が筒体１７６の上縁部（上面）付近まで低下した時点で、筒体１７６内の洗浄水が急激に排水口２２ａから排出されるようになる。
【０１０２】
このとき、流入口１７８ｆを介して、洗浄水保留部１７８ｅの下部から洗浄水保留部１７８ｅに空気が入り、フロート１８０が浮力を失い、貯水部１７８ｄ及び洗浄水保留部１７８ｅの洗浄水が下方に流出すると共にフロート１８０が下降して、弁体１７２が開口部２２ａを閉じ（閉弁）、排水が終了する。
【０１０３】
図２４に示す水位（ＤＷＬ）は、そのような閉弁後に、筒体１７６の外方の洗浄水が、開口部１７６ｃ、１７６ｄを介して筒体１７６の内方に流入し、最終的に得られる、死水水位である。
【０１０４】
次に、図２５乃至図２８により、第２実施形態による小洗浄モードを説明する。
図２５は、本発明の第２実施形態による洗浄水タンク装置の小洗浄モードにおける排水開始時の状態を示す概略断面図であり、図２６は、本発明の第２実施形態による洗浄水タンク装置の小洗浄モードにおける排水途中の状態を示す概略断面図であり、図２７は、本発明の第２実施形態による洗浄水タンク装置の小洗浄モードにおける排水途中の状態を示す概略断面図であり、図２８は、本発明の第２実施形態による洗浄水タンク装置の小洗浄モードにおける排水終了後の状態を示す概略断面図である。
【０１０５】
先ず、図２５に示すように、小洗浄モードの開始時、使用者が操作レバー４８を奥側に９０度回転させ、或いは、小洗浄のボタンが押されモータ５０が作動されると、第１の引き上げ部材５６及び第２の引き上げ部材５８の両方が揺動する。
【０１０６】
第１の引き上げ部材５６の揺動により、第１の玉鎖１６０を介して第１の玉鎖１６０を介してフロート１８０が引き上げられ、これにより、排水口２２ａが開いて、排水が開始される。第２の引き上げ部材５８の揺動により、第２の玉鎖１６１を介して第１の切替弁１９０が引き上げられ、第３の玉鎖１６２を介して第２の切替弁１９２が引き上げられる。
【０１０７】
このような引き上げの完了の直後に操作レバー４８は初期位置に戻されて、第１の引き上げ部材５６が初期位置に戻され、或いは、第１の引き上げ部材５６が初期位置に戻るようにモータ５０が作動される。
【０１０８】
このとき、フロート１８０は、図２２に示すような円弧状の横壁部１７８ｂに密着し、孔部１７８ｃを塞ぐ位置まで引き上げられ、貯水部１７８ｄ及び洗浄水保留部１７８ｅには、それぞれ、洗浄水が満たされている状態となっている。
【０１０９】
そして、図２６に示すように、第２の引き上げ部材５８が初期位置に戻されると、第２の切替弁１９２は、その自重により、図２６に示すような初期の位置に戻る。
一方、第１の切替弁１９０は、第１実施形態で上述したように、筒体１７６の内外の洗浄水の流速差により生じる差圧により、開口部１７６ｃを閉じる位置に保持されたままである。
【０１１０】
次に、図２７に示すように、排水開始後、貯水タンク２２内の洗浄水の全体の水位（ＷＬ）が時間と共に低下し、水位が筒体１７６の上縁部（上面）付近まで低下した時点で、筒体１７６内の洗浄水が急激に排水口２２ａから排出されるようになる。そして、貯水タンク２２内の洗浄水の全体の水位（ＷＬ）が、筒体１７６の第２の開口部１７６ｄの下縁付近まで低下する。
【０１１１】
このとき、流入口１７８ｆを介して、洗浄水保留部１７８ｅの下部から洗浄水保留部１７８ｅに空気が入り、フロート１８０が浮力を失い、貯水部１７８ｄ及び洗浄水保留部１７８ｅの洗浄水が下方に流出すると共にフロート１８０が下降して、弁体１７２が開口部２２ａを閉じ（閉弁）、排水が終了する。
【０１１２】
図２８に示す水位（ＤＷＬ）は、そのような閉弁後に、筒体１７６の外方の洗浄水が、開口部１７６ｄを介して筒体１７６の内方に流入し、最終的に得られる、死水水位である。
【０１１３】
次に、図２９乃至図３２により、第２実施形態によるエコ小洗浄モードを説明する。
図２９は、本発明の第２実施形態による洗浄水タンク装置のエコ小洗浄モードにおける排水開始時の状態を示す概略断面図であり、図３０は、本発明の第２実施形態による洗浄水タンク装置のエコ小洗浄モードにおける排水途中の状態を示す概略断面図であり、図３１は、本発明の第２実施形態による洗浄水タンク装置のエコ小洗浄モードにおける排水途中の状態を示す概略断面図であり、図３２は、本発明の第２実施形態による洗浄水タンク装置の小洗浄モードにおける排水終了後の状態を示す概略断面図である。
【０１１４】
先ず、図２９に示すように、エコ小洗浄モードの開始時、使用者が小洗浄のボタンが押し、モータ５０が作動されると、第１の引き上げ部材５６及び第２の引き上げ部材５８の両方が揺動する。
【０１１５】
第１の引き上げ部材５６の揺動により、第１の玉鎖１６０を介して第１の玉鎖１６０を介してフロート１８０が引き上げられ、これにより、排水口２２ａが開いて、排水が開始される。第２の引き上げ部材５８の揺動により、第２の玉鎖１６１を介して第１の切替弁１９０が引き上げられ、第３の玉鎖１６２を介して第２の切替弁１９２が引き上げられる。このとき、フロート１８０は、図２２に示すような円弧状の横壁部１７８ｂに密着し、孔部１７８ｃを塞ぐ位置まで引き上げられ、貯水部１７８ｄ及び洗浄水保留部１７８ｅには、それぞれ、洗浄水が満たされている状態となっている。
【０１１６】
エコ小洗浄モードでは、このような引き上げの完了後、第１の引き上げ部材５６及び第２の引き上げ部材５８が、その位置に保持（ホールド）されるようモータ５０が作動される。即ち、フロート１８０、第１の切替弁１９０及び第２の切替弁１９２が全て図３１に示す位置に保持される。
【０１１７】
次に、図３０に示すように、貯水タンク２２内の洗浄水の全体の水位（ＷＬ）が時間と共に低下し、その後、図１４に示すように、上述した大洗浄モードと同様に、水位が筒体１７６の上縁部付近まで低下した時点で、筒体１７６内の洗浄水が急激に排水口２２ａから排出されるようになる。
【０１１８】
このとき、本実施形態では、フロート１８０を保持したままにしておく。従って、洗浄水保留部１７８ｅの下部から洗浄水保留部１７８ｅに空気が入っても、フロート１８０及び弁体１７２は下降せず閉弁しない。その後、筒体１７６内の洗浄水が全て排水口２２ａから排水されたタイミングで、モータ５０は、フロート１８０及び各切替弁１９０、１９２の保持を解除する。
【０１１９】
図３２に示す水位（ＤＷＬ）は、そのような閉弁後の死水水位である。
【０１２０】
上述した本発明の第２実施形態による洗浄水タンク装置１１８によれば、貯水タンク２２の排水口２２ａから水洗便器１へと供給される洗浄水の水量が、大洗浄モード、小洗浄モード、エコ小洗浄モードの多段階が得られるよう、筒体１７６の開口部１７６ｃ、１７６ｄの開口断面積を調節可能に開閉する切替弁１９０、１９２を有するので、効果的に、多段階の洗浄水量を得ることが出来る。その結果、近年の節水ニーズの要請も満たすことが出来る。
【符号の説明】
【０１２１】
１  洗落し式水洗便器
６  導水路
２０  外装タンク
２２  貯水タンク
２２ａ  排水口
２４  蓋体
３４  洗浄水給水装置
４６  操作装置
４８  操作レバー
５２  操作ボタン
５４  回転伝達部材
５６  第１の引き上げ部材
５８  第２の引き上げ部材
６０  第１玉鎖
６２  第２玉鎖
７０  排水装置
７２  弁体
７４  オーバーフロー管
７４ａ  弁体保持部
７４ｂ  固定部材保持用凹部
７６  筒体
７６ａ  筒体の上縁部
７６ｂ  筒体の一側面
７６ｃ  筒体の開口部
７８  制御筒
７８ｄ  貯水筒
７８ｅ、７８ｆ  小穴、流出口
７８  流入口
８０  フロート
８２  固定部材
８６  スライド部材
９０  第１切替弁
９２  第２切替弁
９２  突出部
９４  軸体
１１８  洗浄水タンク装置
１７０  排水装置
１７６  筒体
１７８  制御筒
１８０  フロート
１７６ｃ  開口部
１７６ｄ  開口部（切り欠き開口部）
１９０、１９２  切替弁
１６０、１６１、１６２  玉鎖
【図１】
2011241552.tif 000003
【図２】
2011241552.tif 000004
【図３】
2011241552.tif 000005
【図４】
2011241552.tif 000006
【図５】
2011241552.tif 000007
【図６】
2011241552.tif 000008
【図７】
2011241552.tif 000009
【図８】
2011241552.tif 000010
【図９】
2011241552.tif 000011
【図１０】
2011241552.tif 000012
【図１１】
2011241552.tif 000013
【図１２】
2011241552.tif 000014
【図１３】
2011241552.tif 000015
【図１４】
2011241552.tif 000016
【図１５】
2011241552.tif 000017
【図１６】
2011241552.tif 000018
【図１７】
2011241552.tif 000019
【図１８】
2011241552.tif 000020
【図１９】
2011241552.tif 000021
【図２０】
2011241552.tif 000022
【図２１】
2011241552.tif 000023
【図２２】
2011241552.tif 000024
【図２３】
2011241552.tif 000025
【図２４】
2011241552.tif 000026
【図２５】
2011241552.tif 000027
【図２６】
2011241552.tif 000028
【図２７】
2011241552.tif 000029
【図２８】
2011241552.tif 000030
【図２９】
2011241552.tif 000031
【図３０】
2011241552.tif 000032
【図３１】
2011241552.tif 000033
【図３２】
2011241552.tif 000034